(57)【特許請求の範囲】
【請求項１】
回動可能に支持された複数のガイド板と、
該ガイド板と対をなしかつ回動可能に支持されたガイド板押圧機構と、
該ガイド板押圧機構が有する回動支点とは異なる支点によって、前記複数のガイド板と、これと対をなす前記ガイド板押圧機構とを連係させるリンクとを備え、
前記ガイド板押圧機構の回動動作によって前記ガイド板を開閉可能とし、前記ガイド板の閉状態で、前記ガイド板の回動支点間距離よりも前記開閉操作機構の回動支点間距離が短くなるように配置した開閉装置であって、
前記リンクは、前記ガイド板の通紙可能幅内に配すると共に、
前記リンクに、前記ガイド板の回動範囲を大きくするための凹部または開口部を設けた、
ことを特徴とする開閉装置。
【請求項２】
請求項１の開閉装置において、
前記ガイド板の開状態で、前記ガイド板が有するガイド板押圧機構が備える押圧部によって少なくともどちらか一方のガイド板を開状態に保持可能としてなることを特徴とする開閉装置。
【請求項３】
請求項１または２の開閉装置において、前記リンクは、隣り合うガイド板押圧機構の回動方向を異ならせることを特徴とする開閉装置。
【請求項４】
請求項１ないし３のいずれかに記載の開閉装置において、前記ガイド板に従動ローラを備えたことを特徴とする開閉装置。
【請求項５】
請求項１ないし４のいずれかの開閉装置において、前記ガイド板押圧機構内においてコロとバネと断衝材である回り止めを用いて、前記ガイド板を加圧可能としてなることを特徴とする開閉装置。
【請求項６】
請求項５の開閉装置において、
前記ガイド板と前記リンクが連結している回転支点にスプリングを設け、
前記リンクの自由端にコロを配置し、前記ガイド板が移動することで前記コロが前記ガイド板とは異なるガイド板を摺動させ、
前記ガイド板閉時には該ガイド板とは異なるガイド板を前記スプリングの押圧力によりガイド板を所定の位置に押圧する
ことを特徴とする開閉装置。
【請求項７】
請求項１ないし６のいずれかの開閉装置を複数個備えてなることを特徴とする機器。
【請求項８】
請求項１ないし７のいずれかの開閉装置または請求項７の機器を搬送部に備えてなることを特徴とする画像形成装置。
【発明の詳細な説明】
【技術分野】
【０００１】
本発明は電子写真式の複写機、プリンタ、ファクシミリやインクジェットプリンタ、これらの二以上の機能を併せ持つ複合機等の画像形成装置に装着される搬送装置の改良に関し、詳細にはジャム紙の除去作業用開閉部を閉位置で確実に保持しながら開閉操作性が良好な開閉機構に関する。
【背景技術】
【０００２】
近年の上述のような画送形成装置は、その給紙装置の大容量化が望まれる一方で、機械の占有面積を少なくするために複雑な用紙搬送路を有するものが多い。そのような画像形成装置の多くは、発生したジャム等のトラブルの復旧作業が容易に行えるように、装置外装の一部が所定の開閉機構により装置本体に対して開閉可能に構成されている。
【０００３】
このような機器では、機内に残されたジャム紙を除去する場合、限られた空間での作業とならざるを得ないが、ユーザービリティの観点から、安全かつ効率良く作業をするための空間確保が必要となる。また、ジャム紙を除去するための開閉機構が閉時において用紙を問題なく搬送させることが必要である。
【０００４】
そのため種々の技術が提案されているが、例えば特許文献１に開示されている発明においては、外装とリンクする内部部材の開機構であるが、複数のガイド板を対象としたものではない。また特許文献２開示されている発明においては、両面ユニットの開閉操作性を向上しているが、押圧機構を有していない。また特許文献３において開示されている発明は、開状態を固定維持するカバーロック手段を有しているが、複数のガイド板を効率良く開閉させるものではなく、また、磁石によるカバーロックは十分な固定保持力が得られずジャム紙除去時にガイド板が誤って閉まる危険性がある。さらに特許文献４に開示されている発明おいては、外装とリンクする内部部材の開閉機構であるが、複数のガイド板を対象としたものでない。
【０００５】
【特許文献１】特開２００４−３４０９９９号公報  特開２００３−２９５７３３号公報  特開２００６−２３１６８４号公報  特開平０７−２８５７０４号公報
【発明の開示】
【発明が解決しようとする課題】
【０００６】
そこで本発明では、限られた空間においても効率良くかつ安全にジャム紙の除去作業ができるガイド板開閉装置、及びこれを用いた機器、画像形成装置を提供することを目的とする。
【０００７】
また本発明では、限られた空間内においてもジャム紙の除去作業用開閉部を閉位置で確実に保持しながら、開閉操作性が良好なガイド板開閉装置、及びこれを用いた機器、画像形成装置をも提供することを目的とする。
【課題を解決するための手段】
【０００８】
本発明の開閉装置のうち請求項１に係るものは、上記目的を達成するために、
回動可能に支持された複数のガイド板と、
該ガイド板と対をなしかつ回動可能に支持されたガイド板押圧機構と、
該ガイド板押圧機構が有する回動支点とは異なる支点によって、前記複数のガイド板と、これと対をなす前記ガイド板押圧機構とを連係させるリンクとを備え、
前記ガイド板押圧機構の回動動作によって前記ガイド板を開閉可能とし、前記ガイド板の閉状態で、前記ガイド板の回動支点間距離よりも前記開閉操作機構の回動支点間距離が短くなるように配置した開閉装置であって、
前記リンクは、前記ガイド板の通紙可能幅内に配すると共に、
前記リンクに、前記ガイド板の回動範囲を大きくするための凹部または開口部を設けた、
ことを特徴とする。
【０００９】
請求項２に係るものは、請求項１の開閉装置において、前記ガイド板の開状態で、前記ガイド板が有するガイド板押圧機構が備える押圧部によって少なくともどちらか一方のガイド板を開状態に保持可能としてなることを特徴とする。
【００１０】
請求項３に係るものは、請求項１または２の開閉装置において、前記リンクは、隣り合うガイド板押圧機構の回動方向を異ならせることを特徴とする。
【００１１】
請求項４に係るものは、前記ガイド板に従動ローラを備えたことを特徴とする。
【００１３】
請求項５に係るものは、請求項１ないし４のいずれかの開閉装置において、前記ガイド板押圧機構内においてコロとバネと断衝材である回り止めを用いて、前記ガイド板を加圧可能としてなることを特徴とする。
【００１４】
請求項６に係るものは、請求項５の開閉装置において、
前記ガイド板と前記リンクが連結している回転支点にスプリングを設け、
前記リンクの自由端にコロを配置し、前記ガイド板が移動することで前記コロが前記ガイド板とは異なるガイド板を摺動させ、
前記ガイド板閉時には該ガイド板とは異なるガイド板を前記スプリングの押圧力によりガイド板を所定の位置に押圧する
ことを特徴とする。
【００１５】
請求項７に係る機器は、請求項１ないし６のいずれかの開閉装置を複数個備えてなることを特徴とする。
【００１６】
請求項８に係る画像形成装置は、請求項１から６のいずれかの開閉装置または請求項７の機器を搬送部に備えてなることを特徴とする。
【発明の効果】
【００２４】
本発明によれば、効率良くかつ安全にガイド板を開閉し、限られた空間においてもジャム紙の除去作業が容易な装置を提供できる。
【発明を実施するための最良の形態】
【００２５】
以下本発明を実施するための最良の形態を、図に示す実施例を参照して説明する。なお本明細書においては、複写機などの画像形成装置単体のみならず、画像形成装置に給紙装置等を外部装置として付加してシステムユニット化したものをも画像形成装置と称する。また画像形成装置に給紙装置を内蔵したものも対象とすることは勿論である。
【実施例１】
【００２６】
図１は本発明を適用する対象となる画像形成装置の全体の概略図である。本実施例では、画像形成装置１５０の図で右側（用紙搬送方向で上流側）に第１の給紙装置１１０と第２の給紙装置１２０が配置されてシステムユニット化してある。第１給紙装置１１０には、給紙トレイ１１１、１１２からの用紙を画像形成装置１５０に用紙を送り出す用紙搬送路１１４と、第２給紙装置１２０を連結する場合に、第２給紙装置１２０から用紙搬送路１１４へ合流する中継搬送路１１５がある。中継搬送路１１５は給紙トレイ１１１の上部まで搬送する縦搬送部１１５ｂと、給紙トレイ１１１上部を搬送する水平搬送路１１５ａからなる。給紙トレイ１１１と給紙トレイ１１２間を水平に搬送させることも可能であり、その場合、縦搬送部１１５ｂが水平搬送路に取って代わることも可能である。なお、この第１給紙装置１１０の上部には、画像読取装置１６０と自動原稿送り装置１７０が配置されている。これらは従来周知のものと同様のものであり、詳しい説明は省略する。
【００２７】
また第２給紙装置１２０の上部には手差し給紙装置１８０が配置されている。この装置も従来周知のものと同様であり、詳しい説明は省略する。なお、給紙装置の数および搭載される給紙トレイの数などは図示の例のものに限定されず、任意であり、また用紙を上流から下流へ搬送する用紙搬送路も複数配置することも可能である。加えて、給紙装置１１０、１２０の上部に配置される、画像読取装置１６０、自動原稿送り装置１７０、手差し給紙装置１８０を逆転させたり、あるいはいずれかの装置を多数個配置したり、あるいは配置しないようにしたりすることも可能であり、図示の例にはまったく限定されない。
【００２８】
図２に示すように、図１のような構成の装置において、例えば第１給紙装置１１０の縦搬送部１１５ｂでジャムが発生した場合、所定の開閉機構により開閉可能に構成された図中右側の開閉扉１を開け作業する。
【００２９】
図３に示すように、開閉扉１の内部には、ガイド板２に配された回動支点２ａ、ガイド板３に配された回動支点３ａ、ガイド板２に配されたガイド板押圧機構４の受圧部２ｂ、ガイド板３に配されたガイド板押圧機構５の受圧部３ｂ、ガイド板押圧機構４に配された回動支点４ａ、ガイド板押圧機構５に配された回動支点５ａ、ガイド板押圧機構の回動支点とは異なる位置に配されたガイド板押圧機構４のリンク支点４ｂ、ガイド板押圧機構５に配されたリンク支点５ｂ、そしてリンク６が設けてある。なお、これら部品を図示しないインナーカバー等により覆い、たとえ開閉扉１を図２（ｂ）のように開けたとしても外部からは直視できないようにしたものもある。
【００３０】
図３に示す機構では、図４に示すように、ガイド板押圧機構４に付された操作レバー７を図中反時計回りに回動させると、リンク６によって、ガイド板押圧機構５は時計回りに回動する。これにより、ガイド板押圧は解除され、図５に示すように、ガイド板２は図示しないねじりコイルあるいは引っ張りバネ等によって時計回りに回動し、ガイド板３は付設された回動受部３ｃにより図中反時計回りに回動する。
【００３１】
なお図６に示すように、ガイド板押圧機構５の先端はコロ５ｃを有しており、ガイド板３の回動受部３ｃはコロ５ｃに合わせて湾曲させた略Ｒ形状とすることで、ガイド板押圧機構５の回動動作に確実に追従すると共に、ガイド板押圧部先端のコロ５ｃが誤って抜け、ガイド板が不用意に閉まることを防ぐことができる。仮にガイド板３をねじりコイルあるいは引っ張りバネ等により開位置を保持しようとした場合には、十分に強力な保持力が必要となるが、閉動作に対してはこれが過大な負荷となり、操作力の増加を招くことになる。加えて、その強力さゆえ、急激なガイド板の動作による操作者の怪我等の懸念があるが、前述のガイド板３が有する回動受部３ｃによる回動動作は、操作力の増加を招くことなく、また確実にガイド板３の開閉動作をすることができるため操作性悪化および怪我等も招くことはない。したがって、限られた空間においても効率良くかつ安全にジャム紙除去作業が可能である。
【実施例２】
【００３２】
図７は本発明の実施例２を示す。本実施例では、ガイド板押圧機構４および５は、ジャム紙除去が容易にできるよう、ガイド板２および３の回動範囲を大きくできる位置に配置するが、図示のように、ガイド板押圧機構４または５には、ガイド板あるいはガイド板に付設された部品との干渉がないように、開口部４ｄあるいは凹部５ｄを設けることでその回動範囲を拡大することができるようにしてある。したがって、本実施例でも、限られた空間であっても効率良くかつ安全にジャム紙の除去作業が行える。
【００３３】
また、リンク６をガイド板幅内の不要な空間に配することで、機械を小型化可能としてある。さらに前述と同様にガイド板回動範囲の拡大を狙って、ガイド板あるいはガイド板に付された部品との干渉がないように凹部６ｄを設けることもできる。
【００３４】
また既述の通り、操作レバー７を反時計回りに回動させることにより複数のガイド板を開状態とすることができるが、操作レバー７を時計回りに回動させることにより容易に閉状態にすることができる。小サイズも通紙できるようガイド板３または４に従動ローラを備えた場合でもガイド板閉位置における従動ローラの反力に因らず、確実にガイド板開閉動作をすることができる。
【００３５】
すなわち本発明のガイド板開閉装置は、ジャム紙除去時に操作性に優れ、機械を小型化することができる。また、限られた空間内でも開動作により十分なガイド板開放空間が得られると共に、その閉動作により容易にガイド板を閉位置に保持することができる。またガイド板を確実に保持することで、安全にジャム紙除去をすることができ。またレバー操作によるガイド板回動動作の追従性が向上すると共に、ガイド板押圧部先端のコロが誤って抜け、ガイド板が不用意に閉まることを防ぐことができる。さらに、ジャム紙除去可能な空間が増し、作業効率が良くなり、ガイド板閉位置における従動ローラの反力によらず、ガイド板押圧機構により十分な用紙搬送力を得ることができ、そして、効率良くかつ安全にジャム紙除去作業が可能になる。
【実施例３】
【００３６】
図１のような構成の装置において、例えば第１給紙装置１１０の用紙搬送路１１４でジャムが発生した場合、図８で示すように所定の開閉機構により開閉可能に構成された図中左側の開閉扉１１を開け作業する。
【００３７】
図９に示すように、開閉扉１１の内部には、ガイド板１２に配された回動支点１２ａと、ガイド板１３に配された回動支点１３ａと、ガイド板押圧機構１４に配された回動支点１４ａと、ガイド板１２に配されたリンク１５のリンク支点１５ａと、リンク１５の自由端１５ｂがある。
【００３８】
図１０に示すガイド板押圧機構１４に付設された操作レバー１６を、図中時計回りに回動すると、これによりガイド板１２に対する押圧は解除され、図１１に示すように、ガイド板１２は反時計回り、ガイド板１３はガイド板１２に回動支点を持つリンク１５の自由端１５ｂに配したコロ１７により背面をなぞられて時計回りに回動する。なお限られた空間でジャム紙除去が容易にできるスペースを得るために、ガイド板３は時計回り、ガイド板２は反時計回りに回動するようにしている。
【００３９】
なお図１２に示すように、ガイド板押圧機構体１４内に断衝材１８を設け、各断衝材１８を貫通するように押圧軸１９を設け、各断衝材１８にバネ２０を設け、このバネ２０の弾性力により押圧軸１９を往復動可能とし、押圧軸１９のガイド板１２側端部にローラ２１を設け、このローラ２１によりガイド板１２を所定位置に押圧して位置決めする構成とすることができる。またバネ２０を変更することで押圧力を容易に変えることができる。なお押圧力の変更はローラ２１をモールド以外のゴム製等とすることでも代替可能である。
【００４０】
なお図１３に示すように、ガイド板押圧機構１４に配設してあるローラ２１が、ガイド板１２に具備されている押圧受け部２２にはまることで、ガイド板１２を所定の位置に押圧することができると共に、押圧部受け形状部２２ａをローラ２１に合わせて湾曲させた略Ｒ形状の凹部とし、ローラ２１が押圧受け形状部２２ａにはまる際の感触が得られ、そのことでガイド板１２が所定の位置に正確に配されたことを確認することができる。
【００４１】
また図１４に示すように、ガイド板１２に配されたリンク１５のリンク支点１５ａに具備されたスプリング２３を変更することで、ガイド板１２へのガイド板１３の追従性を変えることができる。既述のようにスプリングの変更でガイド板１３の押圧性を変え得ることから、仮にガイド板１２に搬送ローラが配されていても搬送力を得ることができる。
【００４２】
なお、上述のような構造を複数備えることで、ガイド部材１２の片閉まりを確実に防止することができ、搬送ローラを均等に加圧できる。また通紙可能サイズの拡大のために、ガイド板１２に従動ローラを備えた場合でも操作性を改善することができると共に、ガイド板１２の閉位置における従動ローラの反力によらず、ガイド板押圧機構１４により十分な用紙搬送力を得ることができる。すなわち本発明では、限られた空間内においてもジャム紙の除去作業用開閉部を閉位置で確実に保持しながら、開閉操作性が良好な開閉ロック機構を得る機械を提供することができる。
【図面の簡単な説明】
【００４３】
【図１】本発明を適用する対象となる画像形成装置の全体の概略図
【図２】図１に示す第１給紙装置の縦搬送部の右側の開閉扉と、それを開けた状態を示す斜視図
【図３】図２に示す開閉扉の内部機構を示す側面図
【図４】図２に示す開閉扉の内部機構を示す斜視図
【図５】図２に示す開閉扉の内部機構の動作を示す側面図
【図６】図２に示す開閉扉の内部機構の要部を示す拡大側面図
【図７】本発明の実施例２を示す斜視図
【図８】本発明の実施例３を示し、図１に示す第１給紙装置の縦搬送部の左側の開閉扉と、それを開けた状態を示す斜視図
【図９】図８に示す開閉扉の内部機構を示す側面図
【図１０】図８に示す開閉扉の内部機構を示す斜視図
【図１１】図８に示す開閉扉の内部機構の動作を示す側面図
【図１２】図８に示す開閉扉の内部機構の変形例を示す平面図
【図１３】図８に示す開閉扉の内部機構の他の変形例を示す斜視図
【図１４】図８に示す開閉扉の内部機構のさらに他の変形例を示す斜視図
【符号の説明】
【００４４】
１：開閉扉
２：ガイド板
２ａ：回動支点
３：ガイド板
３ａ：回動支点
４：ガイド板押圧機構
２ｂ：受圧部
５：ガイド板押圧機構
３ｂ：受圧部
４ａ：回動支点
５ａ：回動支点
４ｂ：リンク支点
５ｂ：リンク支点
６：リンク
７：操作レバー
３ｃ：回動受部
５ｃ：コロ
４ｄ：開口部
５ｄ：凹部
６ｄ：凹部
１１：開閉扉
１２：ガイド板
１２ａ：回動支点
１３：ガイド板
１３ａ：回動支点
１４：ガイド板押圧機構
１４ａ：回動支点
１５：リンク
１５ａ：リンク支点
１５ｂ：自由端
１６：操作レバー
１７：コロ
１８：断衝材
１９：押圧軸
２０：バネ
２１：ローラ
２２：押圧受け部
２２ａ：押圧部受け形状部
２３：スプリング
１１０：第１の給紙装置
１１１、１１２：給紙トレイ
１１４：用紙搬送路
１１５：中継搬送路
１１５ａ：水平搬送路
１１５ｂ：縦搬送部
１２０：第２の給紙装置
１５０：画像形成装置
１６０：画像読取装置
１７０：自動原稿送り装置
１８０：手差し給紙装置
【図１】
0005022146.tif 000002
【図２】
0005022146.tif 000003
【図３】
0005022146.tif 000004
【図４】
0005022146.tif 000005
【図５】
0005022146.tif 000006
【図６】
0005022146.tif 000007
【図７】
0005022146.tif 000008
【図８】
0005022146.tif 000009
【図９】
0005022146.tif 000010
【図１０】
0005022146.tif 000011
【図１１】
0005022146.tif 000012
【図１２】
0005022146.tif 000013
【図１３】
0005022146.tif 000014
【図１４】
0005022146.tif 000015